(57)【要約】【課題】  コンピュータとの接続に内蔵方式又は外付け方式のホットプラグ接続のどちらかを選択することができる内蔵・外付け両用ホットプラグ式ドライブケースを提供する。【解決手段】  コンピュータベイ内に設置され、コンピュータマザーボードに接続されたアダプタボードと、周辺デバイスを設置することができるドライブケースとを含み、ドライブケースはコンピュータベイ内に設置することも可能であり、そのうち、アダプタボード及びドライブケース上にそれぞれ２組以上の対応して接続される伝送用のオス・メスホットプラグコネクタを設け、且つ、そのうち１組の伝送速度は別の１組の伝送速度より速いものを設けている。【選択図】  図１
0003109868.tif 000002
【実用新案登録請求の範囲】
【請求項１】
コンピュータベイ内に設置され、コンピュータマザーボードに接続されたアダプタボードと、周辺デバイスを設置することができるドライブケースとを含み、該ドライブケースはコンピュータベイ内に設置することも可能であり、そのうち、該アダプタボード及びドライブケース上にそれぞれ２組以上の相互に対応して接続される伝送用のオス・メスホットプラグコネクタを設け、且つ、そのうち１組の伝送速度が別の１組の伝送速度より速い、内蔵・外付け両用ホットプラグ式ドライブケース。
【請求項２】
前記アダプタボード及びドライブケース上にＵＳＢ及びＳＡＴＡのオス・メスホットプラグコネクタをそれぞれ設けた、請求項１に記載の内蔵・外付け両用ホットプラグ式ドライブケース。
【請求項３】
前記アダプタボード及びドライブケース上にＵＳＢ及び１３９４のオス・メスホットプラグコネクタをそれぞれ設けた、請求項１に記載の内蔵・外付け両用ホットプラグ式ドライブケース。
【請求項４】
前記アダプタボード及びドライブケース上に１３９４及びＳＡＴＡのオス・メスホットプラグコネクタをそれぞれ設けた、請求項１に記載の内蔵・外付け両用ホットプラグ式ドライブケース。
【請求項５】
前記アダプタボード及びドライブケース上にＵＳＢ及びＳＡＳのオス・メスホットプラグコネクタをそれぞれ設けた、請求項１に記載の内蔵・外付け両用ホットプラグ式ドライブケース。
【請求項６】
前記アダプタボード及びドライブケース上に１３９４及びＳＡＳのオス・メスホットプラグコネクタをそれぞれ設けた、請求項１に記載の内蔵・外付け両用ホットプラグ式ドライブケース。
【請求項７】
前記アダプタボード及びドライブケース上にＳＡＴＡ及びＳＡＳのオス・メスホットプラグコネクタをそれぞれ設けた、請求項１に記載の内蔵・外付け両用ホットプラグ式ドライブケース。
【請求項８】
前記アダプタボード及びドライブケース上にＵＳＢ、１３９４及びＳＡＳのオス・メスホットプラグコネクタをそれぞれ設けた、請求項１に記載の内蔵・外付け両用ホットプラグ式ドライブケース。
【請求項９】
前記アダプタボード及びドライブケース上にＵＳＢ、１３９４及びＳＡＴＡのオス・メスホットプラグコネクタをそれぞれ設けた、請求項１に記載の内蔵・外付け両用ホットプラグ式ドライブケース。
【請求項１０】
前記アダプタボード及びドライブケース上にＵＳＢ、ＳＡＴＡ及びＳＡＳのオス・メスホットプラグコネクタをそれぞれ設けた、請求項１に記載の内蔵・外付け両用ホットプラグ式ドライブケース。
【請求項１１】
前記アダプタボード及びドライブケース上に１３９４、ＳＡＴＡ及びＳＡＳのオス・メスホットプラグコネクタをそれぞれ設けた、請求項１に記載の内蔵・外付け両用ホットプラグ式ドライブケース。
【請求項１２】
前記アダプタボード及びドライブケース上にＵＳＢ、１３９４、ＳＡＴＡ及びＳＡＳのオス・メスホットプラグコネクタをそれぞれ設けた、請求項１に記載の内蔵・外付け両用ホットプラグ式ドライブケース。
【考案の詳細な説明】
【技術分野】
【０００１】
本考案は、ホットプラグ式ドライブケースに関し、詳細には、配線を介し外部からコンピュータに接続可能で、且つ、コンピュータベイ内に設置しアダプタボードと接続することもでき、コンピュータとの接続に内蔵方式または外付け方式のホットプラグ接続のどちらかを選択することができる、内蔵・外付け両用ホットプラグ式ドライブケースに関する。
【背景技術】
【０００２】
現在の情報産業の勃興と発展そして流行トレンドに押され、コンピュータの普及率は非常に高くなっており、各種周辺デバイスも次々に生まれている。特に、電子産業はすでにマルチメディアＡＶ時代に突入し、大量のＡＶデータの迅速な保存・アクセスが求められ、また、使用者の利便性のため携帯用の周辺デバイスもプラグアンドプレイに対応するようになっている。このため、関連業者は伝送の速度に基づき、一般的なＵＳＢから徐々に高速伝送が可能なホットプラグ式の１３９４、ＳＡＴＡ等のアプリケーションインターフェースを採用するようになり、さらにはサーバ等業務用コンピュータに応用されるＳＡＳにもホットプラグ式のコネクタが使われるようになって、周辺デバイスのプラグアンドプレイを可能にしている。
【０００３】
一般的に市場で販売されているデスクトップ型コンピュータまたはノートブック型コンピュータをみると、そのほとんどがコンピュータのパネル上にＵＳＢまたは１３９４コネクタの差込口を備えており、配線を介して周辺デバイスをコンピュータと接続することができるようになっている。別種のＳＡＴＡ、ＳＡＳは伝送速度がより速いホットプラグ装置に属し、一般的に新型のコンピュータ及びサーバ上で運用されているが、ＳＡＴＡ、ＳＡＳの超高速な伝送速度は、接続時に用いる配線の長さによる制限を受けてしまい、その高速伝送機能を効果的に発揮するには、長距離の配線を使用することができない。このことが、現在市場においてＳＡＴＡ、ＳＡＳの二種類のコネクタ差込口がコンピュータパネル上に設置されていない主要な原因となっている。
【０００４】
さらに、ＳＡＴＡ、ＳＡＳホットプラグ装置を備えた周辺デバイスの大きさが、元のコンピュータのベイ内での応用のみに適しており、その他コンピュータのベイには合わないため、ＳＡＴＡ、ＳＡＳの外付けでの応用における大きな障害となっている。
【考案の開示】
【考案が解決しようとする課題】
【０００５】
上述のような従来のホットプラグ装置の欠点に鑑みて、本考案の考案者はその該項産業における長年の経験に基づき研究を重ね、配線を介し外部からコンピュータに接続可能で、且つ、ドライブケース置入コンピュータベイ内に設置しアダプタボードと接続することもでき、コンピュータとの接続に内蔵方式または外付け方式のホットプラグ接続のどちらかを選択することができる、内蔵・外付け両用ホットプラグ式ドライブケースを開発した。
【０００６】
本考案の主な目的は、配線を介し外部からコンピュータに接続可能で、且つ、コンピュータベイ内に設置しアダプタボードと接続することもでき、コンピュータとの接続に内蔵方式または外付け方式のホットプラグ接続のどちらかを選択することができる、内蔵・外付け両用ホットプラグ式ドライブケースを提供することにある。
【課題を解決するための手段】
【０００７】
上述の目的を達するため、本考案の内蔵・外付け両用ホットプラグ式ドライブケースは、コンピュータベイ内に設置され、コンピュータマザーボードに接続されたアダプタボードと、周辺デバイスを設置することができるドライブケースとを含み、該ドライブケースはコンピュータベイ内に設置することも可能であり、そのうち、係至少アダプタボード及びドライブケース上にそれぞれ２組以上の相互に対応して接続される伝送用のオス・メスホットプラグコネクタを設け、そのうち１組の伝送速度は別の１組より速いものを設けている。
【考案の効果】
【０００８】
本考案に係る内蔵・外付け両用ホットプラグ式ドライブケースは、以上により、該ドライブケースは配線を介して外部からコンピュータに接続することができ、また該ドライブケースをコンピュータベイ内に設置してアダプタボードに接続することもでき、内蔵方式または外付け方式のホットプラグ接続のどちらかを選択して該ドライブケースをコンピュータに接続することを可能にする。
【考案を実施するための最良の形態】
【０００９】
以下、本考案の目的、特徴及び効果について、具体的な実施例と図面に基づき、詳細に説明する。
【００１０】
〔実施例１〕
図１、図２、図３、図４に本考案の分解図、組み立て図、実施例１、実施例２をそれぞれ示す。図に示すように、該ホットプラグ式ドライブケースは、コンピュータ１ベイ１１内に設置され、且つ、コンピュータマザーボード１２に接続されたアダプタボード２と、周辺デバイスを設置することができるドライブケース３を含み、該ドライブケース３は該ベイ１１内に設置することもでき、そのうち、アダプタボード２及びドライブケース３上に少なくともＵＳＢ２１、３１、｛１３９４｝２２、３２及びＳＡＴＡ２３、３３のオス・メスコネクタをそれぞれ設置する（該アダプタボード及びドライブケースのオス、メスコネクタはこれら３つに限らず、ＵＳＢ、ＳＡＳ及びＳＡＴＡのオス・メスコネクタ、またはＵＳＢ及び１３９４、ＳＡＳのオス、メスコネクタ、或いは１３９４、ＳＡＳ及びＳＡＴＡのオス・メスコネクタとしてもよい）。
【００１１】
本考案の構造設計により、該アダプタボード２はコンピュータ１のベイ１１内に固定され、配線１４を利用してコンピュータマザーボード１２上のＳＡＴＡ（ＳＡＳ）コネクタ１３とアダプタボード２のオスＳＡＴＡ（ＳＡＳ）コネクタ２３を接続し、図３に示すように、ドライブケース３を該ベイ１１に挿入した後、そのメスＳＡＴＡ（ＳＡＳ）コネクタ３３が直接オスＳＡＴＡ（ＳＡＳ）コネクタ２３に接続される。
【００１２】
〔実施例２〕
また、コンピュータ内部に挿入して設置できない場合、図４に示すように、該ドライブケース３は配線１５を介しコンピュータ１パネル上のＵＳＢコネクタ１６とドライブケース３のメスＵＳＢコネクタ３１を接続することもできる。
【００１３】
これにより、該ドライブケース３は該配線１５を介し、外部からコンピュータ１に接続することができ、また該ドライブケース３はコンピュータ１ベイ１１内に設置し、配線１４を介してアダプタボード２と接続し、さらにコンピュータマザーボード１２に接続することもできるため、ドライブケース３は内蔵方式または外付け方式のホットプラグ接続のどちらかを選択して接続することが可能となる。
【００１４】
また、コンピュータとの接続に内蔵方式または外付け方式のホットプラグ接続のどちらかを選択することができる、内蔵・外付け両用ホットプラグ式ドライブケースを提供する。
【００１５】
コンピュータベイ内に設置され、コンピュータマザーボードに接続されたアダプタボードと、周辺デバイスを設置することができるドライブケースとを含み、該ドライブケースはコンピュータベイ内に設置することも可能であり、そのうち、該アダプタボード及びドライブケース上にそれぞれ２組以上の対応して接続される伝送用のオス・メスホットプラグコネクタを設け、且つ、そのうち１組の伝送速度は別の１組の伝送速度より速いものとし、これにより、該ドライブケースは配線を介し外部からコンピュータに接続でき、また、該ドライブケースをコンピュータベイ内に設置してアダプタボードに接続することも可能となり、該ドライブケースは内蔵方式または外付け方式のホットプラグ接続が選択可能となる。
【００１６】
前述のように、本考案の設計は従来技術に比べ創造性と実用性、使用上の特性及び価値を備えており、且つ、進歩性と改良性も兼備しているため、完全に実用新案登録の法定要件を満たしているため、ここに法に基づき実用新案登録を出願するものである。
【００１７】
以上、本考案について最良の実施例に基づき説明してきたが、上述の実施例は本考案の実施の範囲を制限するものではなく、当該技術を熟知した者による本考案の要旨を逸脱しない範囲におけるいかなる変更や修飾も本考案の実用新案登録請求の範囲に含まれるものとみなす。よって本考案は実用新案登録請求の範囲においてのみ制限される。
【図面の簡単な説明】
【００１８】
【図１】本考案の立体分解斜視図である。
【図２】本考案の組み立てを示す立体斜視図である。
【図３】本考案の実施例１を示す立体透視図である。
【図４】本考案の実施例２を示す立体斜視図である。
【符号の説明】
【００１９】
１    コンピュータ
１１  ベイ
１２  コンピュータマザーボード
１３  ＳＡＴＡコネクタ
１４  配線
１５  配線
１６  ＵＳＢコネクタ
２    アダプタボード
２１  オスＵＳＢコネクタ
２２  オス１３９４コネクタ
２３  オスＳＡＴＡコネクタ
３    ドライブケース
３１  メスＵＳＢコネクタ
３２  メス１３９４コネクタ
３３  メスＳＡＴＡコネクタ
【図１】
0003109868.tif 000003
【図２】
0003109868.tif 000004
【図３】
0003109868.tif 000005
【図４】
0003109868.tif 000006